(57)【要約】
【課題】　複数のファンクションを有すると共に、入力キーの連動により発生されるエラー動作を防止する携帯電話の入力キーを提供する。
【解決手段】　入力キー組み（１０）及び入力キー層（２０）を備える携帯電話の入力キーであって、入力キー組み（１０）は一般入力キー（１１）とファンクションキー組み（１２）を有し、ファンクションキー組み（１２）は三組九個の異なるファンクションを有するファンクションキー（１２１）（１２２）（１２３）を備え、入力キー層（２０）の底面に一般入力キー（１１）とファンクションキー組み（１２）に対応する入力キー（２１）（２２）が設けられ、各組のファンクションキー（１２１）（１２２）（１２３）に対応する入力キー（２２）の間に離間するためのリブ（２３）が設けられ、第一ファンクションキー（１２１）はファンクションキー組（１２）の中央に設置され、第二ファンクションキー（１２２）は第一ファンクションキー（１２１）のX，Ｙ軸に設けられ、外側に凸部（１２２２）が設けられ、第三ファンクションキー（１２３）は第一ファンクションキー（１２１）と第二ファンクションキー（１２２）との間に設けられ、その上面中央に凸部（１２３１）が設けられることを特徴とする。
【選択図】　図１
0003100074.tif 000002
【実用新案登録請求の範囲】
【請求項１】
入力キー組み（１０）及び入力キー層（２０）を備える携帯電話の入力キーであって、
　入力キー組み（１０）は一般入力キー（１１）とファンクションキー組み（１２）を有し、ファンクションキー組み（１２）は三組九個の異なるファンクションを有するファンクションキー（１２１）（１２２）（１２３）を備え、
　入力キー層（２０）の底面に一般入力キー（１１）とファンクションキー組み（１２）に対応する入力キー（２１）（２２）が設けられ、各組のファンクションキー（１２１）（１２２）（１２３）に対応する入力キー（２２）の間に離間するためのリブ（２３）が設けられ、
　第一ファンクションキー（１２１）はファンクションキー組（１２）の中央に設置され、
　第二ファンクションキー（１２２）は第一ファンクションキー（１２１）のX，Ｙ軸に設けられ、外側に凸部（１２２２）が設けられ、
　第三ファンクションキー（１２３）は第一ファンクションキー（１２１）と第二ファンクションキー（１２２）との間に設けられ、その上面中央に凸部（１２３１）が設けられることを特徴とする携帯電話の入力キー。
【請求項２】
第二ファンクションキー（１２２）の内側に凹部（１２２１）が設けられることを特徴とする請求項１に記載の携帯電話の入力キー。
【請求項３】
第三ファンクションキー（１２３）の凸部（１２３１）は水滴状であることを特徴とする請求項１又は２に記載の携帯電話の入力キー。
【考案の詳細な説明】
【技術分野】
【０００１】
　本考案は、特に複数のファンクションを有すると共に、入力キーの連動により発生されるエラー動作を防止する携帯電話の入力キーに関するものである。
【背景技術】
【０００２】
　図７に示すように、従来のファンクションを有する携帯電話の入力キーは基板（６０）を有し、該基板（６０）の表面に五つの収納部（６１）が形成されると共に、それらの収納部（６１）に導電プレート（６２）が設けられ、基板（６０）の上部にゴムプレート（７０）が設けられ、該ゴムプレート（７０）の上部に入力キー（９０）を有する上部プレート（８０）が設けられることにより、携帯電話の操作功能を提供する。
【０００３】
　前記収納部（６１）の内部に外部回路（６３）及び中心回路（６４）を設けることにより五つの回路接点となり、基板（６０）の周縁に位置決めロッド（６５）が設けられるとともに、ゴムプレート（７０）に基板（６０）の位置決めロッド（６５）に対する位置決めスリット（７１）が形成され、位置決めロッド（６５）は位置決めスリット（７１）を貫通して、上部プレート（８０）の位置決め孔（８１）に固定され、又、上部プレート（８０）に入力キー（９０）を収納するための収容孔（８２）が形成されることにより、入力キー（９０）を基板（６０）の上方に設置する。
【０００４】
　しかしながら、前記従来の携帯電話の入力キー（９０）は一体に製造されるので、その一つの入力キーを押圧する場合、他の入力キーを連動して、エラー入力動作を発生してしまい、更に、入力キー（９０）及び上部プレート（８０）の範囲が狭いため、他の入力キー（９０）を増設することができない。
【考案の開示】
【考案が解決しようとする課題】
【０００５】
　そこで、案出されたのが本考案であって、複数のファンクションを有すると共に、入力キーの連動により発生されるエラー動作を防止する携帯電話の入力キーを提供することを目的としている。
【課題を解決するための手段】
【０００６】
　本願の請求項１の考案は、入力キー組み（１０）及び入力キー層（２０）を備える携帯電話の入力キーであって、入力キー組み（１０）は一般入力キー（１１）とファンクションキー組み（１２）を有し、ファンクションキー組み（１２）は三組九個の異なるファンクションを有するファンクションキー（１２１）（１２２）（１２３）を備え、入力キー層（２０）の底面に一般入力キー（１１）とファンクションキー組み（１２）に対応する入力キー（２１）（２２）が設けられ、各組のファンクションキー（１２１）（１２２）（１２３）に対応する入力キー（２２）の間に離間するためのリブ（２３）が設けられ、第一ファンクションキー（１２１）はファンクションキー組（１２）の中央に設置され、第二ファンクションキー（１２２）は第一ファンクションキー（１２１）のX，Ｙ軸に設けられ、外側に凸部（１２２２）が設けられ、第三ファンクションキー（１２３）は第一ファンクションキー（１２１）と第二ファンクションキー（１２２）との間に設けられ、その上面中央に凸部（１２３１）が設けられることを特徴とする携帯電話の入力キーである。
【０００７】
　本考案は上記の課題を解決するものであり、入力キー組み及び入力キー層を備え、入力キー組みは一般入力キーとファンクションキー組みを有し、ファンクションキー組みは三組九個の異なるファンクションを有するファンクションキーを設置し、第一ファンクションキーの下方にリブが設けられ、第二ファンクションキーの外側に凸部が設けられ、第三ファンクションキーの上面中央に凸部が設けられることにより、使用者はその一つのファンクションキーを押圧する際、他のファンクションキーを連動して、押圧することを防止できる。
【０００８】
　また、本願の請求項２の考案は、第二ファンクションキー（１２２）の内側に凹部（１２２１）が設けられることを特徴とする請求項１に記載の携帯電話の入力キーである。
【０００９】
　また、本願の請求項３の考案は、第三ファンクションキー（１２３）の凸部（１２３１）は水滴状であることを特徴とする請求項１又は２に記載の携帯電話の入力キーである。
【考案の効果】
【００１０】
　本考案は上記の構成を有するので、入力キー組み及び入力キー層を備え、入力キー組みは一般入力キーとファンクションキー組みを有し、ファンクションキー組みは三組九個の異なるファンクションを有するファンクションキーを設置し、第一ファンクションキーの下方にリブが設けられ、第二ファンクションキーの外側に凸部が設けられ、第三ファンクションキーの上面中央に凸部が設けられることにより、使用者はその一つのファンクションキーを押圧する際、他のファンクションキーを連動して、押圧することを防止できる。
【考案を実施するための最良の形態】
【００１１】
　以下、添付図面を参照して本考案の好適な実施の形態を詳細に説明する。勿論、下記実施例は、本考案の好適な実施の形態を示したものにすぎず、本考案の技術的範囲は、下記実施例そのものに何ら限定されるものではない。
【実施例】
【００１２】
　図１は本考案に係る携帯電話の入力キーの分解斜視図であり、図２は本考案に係る携帯電話の入力キーの平面図であり、図３は図２のA-A線断面図であり、図４は図２のB-B線断面図であり、図５は図２のC-C線断面図であり、図６は本考案に係る携帯電話の入力キーの底面を示す平面図である。
【００１３】
　図１及び図２に示すように、本考案に係る携帯電話の入力キーは入力キー組み（１０）及び入力キー層（２０）を備え、入力キー組み（１０）は一般入力キー（１１）とファンクションキー組み（１２）とを有し、ファンクションキー組み（１２）は三組九個の異なるファンクションを有するファンクションキー（１２１）（１２２）（１２３）を備える。
【００１４】
　図３乃至図６に示すように、入力キー層（２０）の底面に一般入力キー（１１）とファンクションキー組み（１２）に対応する入力キー（２１）（２２）が設けられ、各組のファンクションキー（１２１）（１２２）（１２３）に対応する入力キー（２２）の間に離間するためのリブ（２３）が設けられることにより、一つの入力キー（２２）を押圧する際、相隣の入力キー（２２）を連動することを防止する。
【００１５】
　更に、図２及び図３に示すように、ファンクションキー（１２１）（１２２）（１２３）は三組に分け、第一ファンクションキー（１２１）はファンクションキー組（１２）の中央に設置されることにより、使用者は指によって押圧する際、他のファンクションキー（１２２）（１２３）を押圧することを防止する。
【００１６】
　又、図２及び図５に示すように、第二ファンクションキー（１２２）は第一ファンクションキー（１２１）のX，Ｙ軸（即ち、第一ファンクションキー（１２１）の上、下、左、右）に設けられ、この第二ファンクションキー（１２２）は内側から外側まで夫々凹部（１２２１）と凸部（１２２２）が設けられることにより、使用者は指によって凸部（１２２２）を押圧する際、他のファンクションキー（１２１）（１２３）を押圧することを防止する。
【００１７】
　図２及び図４に示すように、第三ファンクションキー（１２３）は第一ファンクションキー（１２１）と第二ファンクションキー（１２２）との間に設けられ、その上面中央に水滴状の凸部（１２３１）が設けられることにより、使用者は指によって凸部（１２３１）を押圧する際、他のファンクションキー（１２１）（１２２）を押圧することを防止する。
【００１８】
　本考案に係る携帯電話の入力キーによれば、有限の範囲に三組九個の異なるファンクションを有するファンクションキー（１２１）（１２２）（１２３）を設置することができ、第一ファンクションキー（１２１）の下方にリブ（２３）が設けられ、第二ファンクションキー（１２２）の外側に凸部（１２２２）が設けられ、第三ファンクションキー（１２３）の上面中央に凸部（１２３１）が設けられることにより、使用者はその一つのファンクションキーを押圧する際、他のファンクションキーを連動して、押圧することを防止できる。
【図面の簡単な説明】
【００１９】
【図１】本考案に係る携帯電話の入力キーの分解斜視図である。
【図２】本考案に係る携帯電話の入力キーの平面図である。
【図３】図２のA-A線断面図である。
【図４】図２のB-B線断面図である。
【図５】図２のC-C線断面図である。
【図６】本考案に係る携帯電話の入力キーの底面を示す平面図である。
【図７】従来の携帯電話の入力キーの分解斜視図である。
【符号の説明】
【００２０】
　１０　　　　入力キー
　１１　　　　一般入力キー
　１２　　　　ファンクションキー
　１２１　　　第一ファンクションキー
　１２２１　　凹部
　１２２　　　第二ファンクションキー
　１２２２　　凸部
　１２３　　　第三ファンクションキー
　１２３１　　凸部
　２０　　　　入力キー層
　２１、２２　入力キー
　２３　　　　リブ
　６０　　　　基板
　６１　　　　収納部
　６２　　　　導電プレート
　６３　　　　外部回路
　６４　　　　中心回路
　６５　　　　位置決めロッド
　７０　　　　ゴムプレート
　７１　　　　位置決めスリット
　８０　　　　上部プレート
　８１　　　　位置決め孔
　８２　　　　収容孔
　９０　　　　入力キー
【図１】
0003100074.tif 000003
【図２】
0003100074.tif 000004
【図３】
0003100074.tif 000005
【図４】
0003100074.tif 000006
【図５】
0003100074.tif 000007
【図６】
0003100074.tif 000008
【図７】
0003100074.tif 000009